(57)【特許請求の範囲】
【請求項１】
口筒部（３）と胴部（２）と底部（８）を有する容器本体（１）と、前記口筒部（３）に着脱自在に組付いて容器本体（１）を開閉する蓋体（１３）とからなる広口容器であって、前記容器本体（１）は、合成樹脂製射出成形品であり、前記底部（８）の底板部（１０）には開放部（１１）が形成してあり、前記底板部（１０）の上面には開放部（１１）を塞いでインモールド材である柔軟性を有する底フィルム（１２）が位置しており、該底フィルム（１２）は周端部を底板部（１０）の上面周端部に密に接合させていることを特徴とする広口減圧吸収容器。
【請求項２】
底板部（１０）をリング板状として、中央部分の略全体を開放部（１１）とした請求項１に記載の広口減圧吸収容器。
【請求項３】
底板部（１０）の一部に、上下に貫通する通孔を開設し、該通孔を開放部（１１）とした請求項１に記載の広口減圧吸収容器。
【発明の詳細な説明】
【技術分野】
【０００１】
本発明は、容器内に発生した減圧を、容器の底部部分で吸収するようにした広口減圧吸収容器に関するものである。
【背景技術】
【０００２】
容器内に発生した減圧を、容器の底部部分で吸収すべく構成した容器としては、例えば特許文献１が知られている。この特許文献１に示された容器は、底部に、容器内方に凹む蛇腹構造の減圧吸収面を形成した構成となっている。
【０００３】
この特許文献１に示された従来技術は、底部を蛇腹構造に構成して、容器内に凹み状に伸び変形し易くしているので、この底部の容器内への伸び変形により、容器内の減圧を吸収する、と云う作用を発揮する。
【先行技術文献】
【特許文献】
【０００４】
【特許文献１】特開平０８−０４８３２２号公報
【発明の概要】
【発明が解決しようとする課題】
【０００５】
しかしながら、上記した従来技術にあっては、容器全体が一体成形物であり、かつこの底部は容器の脚部を形成する部分であるので、十分に柔軟性のある状態で成形することが難しく、かつ瓶体状の容器はＰＥＴ製の２軸延伸ブロー成形品であるので、成形技術の関係から底部を十分に薄肉に成形する、すなわち変形し易い状態に成形することが難しく、このため底部に形成された減圧吸収機能部が、適正に伸び変形することができる保証がない、と云う問題があった。
【０００６】
特に、内容物を高温充填する容器にあっては、充填後密封して冷却すると、容器内がかなりの減圧状態になるが、上記した従来技術では、この減圧を十分に吸収することができない、と云う不安が強く生じることになる。
【０００７】
そこで、本発明は、上記した従来技術における問題点を解消すべく創案されたもので、容器の底部に設けた減圧吸収機能部により十分に大きくかつ確実な減圧吸収作用を得ることを技術的課題とし、減圧に対して安全にかつ適正に対応する容器を提供することを目的とする。
【課題を解決するための手段】
【０００８】
上記技術的課題を解決するための本発明の主たる構成は、
口筒部と胴部と底部を有する容器本体と、口筒部に着脱自在に組付いて容器本体を開閉する蓋体とからなる広口容器であること、
容器本体は、合成樹脂製射出成形品であること、
容器本体の底部の底板部には開放部が形成してあること、
底板部の上面には開放部を塞いでインモールド材である柔軟性を有する底フィルムが位置していること、
この底フィルムは、周端部を底板部の上面周端部に密に接合させていること、
にある。
なお、広口容器における「広口」とは、口筒部が、胴部を成形する金型部分から型抜きの可能な口径寸法を意味する。
【００１０】
底フィルムはインモールド材であるので、容器本体の射出成形と同時に、底部の底板部上面へ密な接合が達成され、この底フィルムの底板部上面への接合により、底フィルムは底板部の開放部を密に塞ぐことになる。
【００１１】
底フィルムは、その周端部を底板部の上面周端部に密に接合させているので、底板部上面の略全域を覆う状態で、その略全体を変形可能としている。これにより、柔軟性を有する底フィルムは、容器内の減圧に従って撓み変形して変位し、この変形変位に伴う容積変化が大きいので、大きな減圧吸収能力を発揮することになる。
【００１３】
本発明の別の構成は、上記した主たる構成に、底板部をリング板状として、中央部分の略全体を開放部とした、ことを加えたものである。
【００１４】
底板部をリング板状として、中央部分の略全体を開放部としたものにあっては、底板部の成形樹脂量を大幅に低減することができ、また底フィルムの略全域を、底板部に対して上下方向に変位可能に支持することになるので、底フィルムに大きな変位可能範囲を与えることができる。
【００１５】
また、本発明の別の構成は、上記した主たる構成に、底板部の一部に、上下に貫通する通孔を開設し、この通孔を開放部とした、ことを加えたものである。
【００１６】
底板部の一部に、上下に貫通する通孔を開設し、この通孔を開放部としたものにあっては、柔らかい底フィルムを底板部が下方から支持すると共に、底板部が他の物品との接触等から保護することになる。
【発明の効果】
【００１７】
本発明は、上記した構成となっているので、以下に示す効果を奏する。
本発明の主たる構成にあっては、柔軟性を有する底フィルムが、容器内の減圧に従って容易に撓み変形して変位し、大きな減圧吸収能力を発揮するので、減圧に即応した素早い減圧吸収を得ることができると共に、例え高温充填のような大きな減圧が発生する場合でも、これに適正に対応して、減圧による容器の外観体裁の劣化の発生を確実に防止する。
【００１９】
底板部をリング板状として、中央部分の略全体を開放部としたものにあっては、底板部の成形樹脂量を大幅に低減することができ、また底フィルムに大きな変位可能範囲を与えることができるので、消費樹脂量の省資源化と十分な減圧吸収能力とを得ることができる。
【００２０】
底板部の一部に、上下に貫通する通孔を開設し、この通孔を開放部としたものにあっては、柔らかい底フィルムを底板部が他の物品との接触等から保護するので、容器の安全性を高めることができる。
【図面の簡単な説明】
【００２１】
【図１】本発明の第一実施形態例を示す、全体縦断面である。
【図２】図１に示した実施形態例の、全体平面図である。
【図３】本発明の第二実施形態例を示す、全体縦断面である。
【図４】本発明の参考例を示す、全体縦断面である。
【図５】参考例の減容変形状態を示す、全体縦断面である。
【発明を実施するための形態】
【００２２】
以下、本発明の実施形態例を、図面を参照しながら説明する。
本発明による広口減圧吸収容器（図１参照）は、容器本体１と蓋体１３とから構成され、容器本体１は、合成樹脂により径の大きい有底円筒状に射出成形された本体部分と、この本体部分の底部８の底板部１０に開設された開放部１１を塞ぐ柔らかいインモールド材である底フィルム１２とから構成され、蓋体１３は、容器本体１の口筒部３に着脱して開閉動作を行う。
【００２３】
容器本体１の本体部分は、外周面に蓋体１３の装着機能部を有する口筒部３と、容器本体１の主体部分を構成する円筒形状をした胴部２と、脚機能部を形成する底部８とから構成され、底部８は、短円筒片状の筒片部９の下端内周面にリング板状となって開放部１１を形成する底板部１０を連設して構成されている。この底板部１０の上面周端部には、開放部１１を塞ぐ底フィルム１２の周端部が、インモールド成形により密に接合されている。
【００２４】
このように、容器本体１の底部８に形成された開放部１１が、柔らかな底フィルム１２で塞がれており、またこの底フィルム１２は、その周端部で底板部１０に接合固定されて、その大部分が変形変位可能となっている。それゆえ、蓋体１３で密閉された容器内に減圧が発生した状態となると、この発生した減圧に従って速やかに底フィルム１２が、容器本体１内側に陥没状（図１および図３参照）に撓み変形して、減圧を吸収する。
【００２５】
この底フィルム１２の減圧吸収動作は、インモールド材である底フィルム１２が柔らかく、かつその大部分を変形変位可能な状態としていることから、素早い減圧吸収動作と、大きな減圧吸収能力の発揮とを得ることができる。
【００２６】
蓋体１３（図１および図２参照）は、頂壁１４と筒壁１５とを有する有頂短円筒形状をしていて、頂壁１４の下面周端部には、シール筒片１６とシール条１７とが垂下突片状に設けられており、シール筒片１６は、容器本体１に組付いた状態で、容器本体１の上端開孔部に密嵌入し、シール条１７は、容器本体１に組付いた状態で、容器本体１の上端面に、全周に亘って密に弾接し、このシール筒片１６およびシール条１７により、蓋体１３による容器本体１の密閉が確保される。
【００２７】
また、筒壁１５の内周面には、口筒部３の螺条５に螺合する螺条が刻設されていて、この筒壁１５の口筒部３に対する螺着により、容器本体１の密閉が維持される。なお、この筒壁１５の外周面には細かい縦条であるローレットが形成されて、蓋体１３の容器本体１に対する着脱操作が行い易くしている。
【００２８】
図１は本発明の第一実施形態例を示すもので、底部８の底板部１０をリング板状に構成し、インモールド材である底フィルム１２で底板部１０の開放部１１を閉塞するように構成した。このように、底板部１を内鍔状のリング板形状としたので、底板部１０を成形するに要する樹脂材料量を少なくすることができる。
【００２９】
この第一実施形態例の場合、底フィルム１２は、容器内に充填された内容物の重みにより底板部１０の開放部１１から外側に膨出する（図１の下側の図示状態を参照）ことになるが、この状態で充填された高温内容物が冷却されて容器内に減圧が発生すると、外側に膨出状に位置していた底フィルム１２が容器の内側に変位（図１の実線図示した中間の図示状態、および上側の図示状態参照）し、これにより容器内に発生した減圧を吸収する。この際、底フィルム１２の容器内側への変形は、略平坦となる位置（図１の中間の図示状態参照）を越えて、内側に陥没する反転位置（図１の上側の図示状態参照）まで変位することが可能であるので、大きな減圧吸収能力を得ることができる。
【００３０】
図３は本発明の第二実施形態例を示すもので、底部８の底板部１０の略中央部に透孔状の開放部１１を設け、底板部１０の上面を覆ってインモールド材である底フィルム１２を位置させ、この底フィルム１２を底板部１０に対して、周端部だけが密に溶着し、他の部分は剥離自在に組付けたものである。
【００３１】
この第二実施形態例の場合、柔らかい底フィルム１２は、その全体が底板部１０上に位置して、底板部１０で支持された状態にあるので、底板部１０が、機械的強度の十分ではない底フィルム１２を、機械的に保護することになると共に、内容物が充填された状態で、底フィルム１２の垂れ下がりを阻止する。なお、底フィルム１２は、第一実施形態例と同様に、その略全体で撓み変形するので、大きな減圧吸収能力を発揮する。
【００３２】
なお、インモールド材である底フィルム１２は、射出成形された容器本体１の本体部分の離型後における収縮変形、特に底部８の収縮により撓み変形が発生することがあり、この底フィルム１２の撓み変形は、容器内に発生した減圧に伴う底フィルム１２の変位をし易くするように作用するので、底フィルム１２による減圧吸収効果は、より高められることになる。
【００３３】
図４は本発明の参考例を示すもので、容器本体１の本体部分は、径の大きい合成樹脂チューブ体製の胴部２と、この胴部２の上端開放部にインサート成形により取付けられて、胴部２の内径と略等しい口径の開口部を形成する口筒部３と、胴部２の下端開放部にインサート成形により取付けられた底部８とから構成されている。口筒部３は、変形し難くかつ胴部２よりも大きい外径を持つ筒片状の本体筒４を有し、底部８は、変形し難くかつ胴部２よりも大きい外径を持つ筒状の筒片部９を有している。
【００３４】
容器本体１の胴部２は、合成樹脂積層シートを丸めて成形されたチューブ体で形成されており、この合成樹脂積層シートを構成する各層を選択して組合せることにより、胴部２に所望する物性を簡単に附与することができる。また、胴部２は、柔軟性を有するチューブ体製であるので、強引な潰し変形が可能であり、それゆえ廃棄時には上下から押し潰すとか、捻りながら押し潰す等する（図５参照）ことにより容器の十分な減容化を得ることができ、これにより容器の廃棄を効率良く達成できる。特に、胴部２を形成するチューブ体は径が大きいので、上記した潰し変形を適正にかつ簡単に得ることができる。
【００３５】
例えば、胴部２を形成するチューブ体として、アルミ箔を用いた合成樹脂積層シートを用いた場合は、アルミ箔が発揮する各種のバリヤー機能、例えば各種の気体に対するガスバリヤー性、液体成分に対するバリヤー性、さらに遮光性を得ることができ、優れた内容物保存効果を得ることができる。また、胴部２を形成するチューブ体として、シリカ蒸着層や透明なバリヤー樹脂フィルムを用いた透明合成樹脂積層シートを用いた場合は、ガスバリヤー性を得ることができる状態で、容器外から内容物を直接観察することができるので、商品である容器を安心して購入することができる。
【００３６】
胴部２をバリヤー性が附与された合成樹脂積層チューブ体で形成した場合には、底フィルム１２にも同様のバリヤー性を附与するのが望ましいので、底フィルム１２をバリヤー性が附与された合成樹脂積層フィルムで構成するのがよい。このように、薄肉部分となっている合成樹脂積層チューブ体製の胴部２および底フィルム１２にバリヤー性を附与することにより、容器全体のバリヤー性を高めることができる。
【００３７】
口筒部３および底部８は、変形し難いすなわち剛性を有しているので、柔軟性を有する胴部２の上端部および下端部を、安定して一定形状に保持することができ、これにより容器として要求される一定形状を維持することになる。また、胴部２よりも大きい外径を有しているので、容器を並列配置して取扱う際には、隣接する容器同士は、口筒部３および底部８が突き当ったり擦れ合ったりすることはあっても、柔軟性のある胴部２が接触したり擦れ合ったりすることがなく、これにより胴部２に施された表示の状態が劣化するのを、効果的に防止することになる。
【００３８】
口筒部３および底部８は、胴部２の外表面にインサート成形されており、口筒部３（図４参照）は、主体部分である円筒状の本体筒４と、この本体筒４の上端に内鍔状に位置して、胴部２の上端面を覆う内鍔６とから構成され、本体筒４は、上半部分外周面に蓋体１３の装着機能部分である螺条５を刻設し、下半部分を外方に肉厚に膨出した膨出下部７としている。この膨出下部７は、容器の最も大きい外径部分を形成するので、容器の取扱い時には、他の物品が蓋体１３に擦れ状に接触するのを邪魔することになり、これにより蓋体１３の螺着組付きを安定させ、また蓋体１３の着脱操作時には、容器本体１側の支持部として安定して機能する。
【００３９】
底部８（図４参照）は、短円筒状の筒片部９と、リング板状の底板部１０とから構成され、その下面で容器の脚機能部を形成している。
【００４０】
このように、口筒部３および底部８は、胴部２を構成するインサート材であるチューブ体の外表面にインサート成形されるので、インサート材であるチューブ体は、その内表面全域をコア金型（図示省略）に密接させ、金型装置は、チューブ体の外側だけにキャビティを形成すればよいので、その構造がきわめて簡単なものとなる。
【００４１】
なお、容器本体１に対する蓋体１３の着脱は、螺合組付き構造に限定されることはなく、他の適当な密な組付けを得ることのできる組付け手段を採用してもよい。また、口筒部３の膨出下部７は、その全体が大きな肉厚である必要はなく、一部を大きな肉厚にした構成で、他部を把持力を支えることができる剛性を発揮できる程度の小さい肉厚にしてもよい。
【産業上の利用可能性】
【００４２】
以上説明したように、本発明の広口減圧吸収容器は、柔らかい底フィルムの撓み変形のし易さを利用して大きな減圧吸収能力を発揮するものであり、内容物を高温充填することにより大きな減圧の発生する広口減圧吸収容器に関して幅広い利用展開が期待される。
【符号の説明】
【００４３】
１  ；容器本体
２  ；胴部
３  ；口筒部
４  ；本体筒
５  ；螺条
６  ；内鍔
７  ；膨出下部
８  ；底部
９  ；筒片部
１０；底板部
１１；開放部
１２；底フィルム
１３；蓋体
１４；頂壁
１５；筒壁
１６；シール筒片
１７；シール条
【図１】
0005828373.tif 000002
【図２】
0005828373.tif 000003
【図３】
0005828373.tif 000004
【図４】
0005828373.tif 000005
【図５】
0005828373.tif 000006